Podtech/llm-jp-corpus-v4-ja_patent huggingface dataset:
(57)【要約】      （修正有）【課題】高度な成型技術や別途の成型物が不要な残ガス排出用アクチュエーター、およびアクチュエーター支持用キャップを提供する。【解決手段】アクチュエーター３の指押し部分には、波状の凹凸が設けられている。この凹凸は、スプレーの使用時に押さえた指の滑り止めの機能も果たす。アクチュエーター３とキャップ１の隙間は、通常のスプレー製品と比べて小さくなっている。これは、アクチュエーター内に差し込まれている内容物の排出口を有する突起（以下、ステム２という）の差込深さを利用してステム２を押すためである。残ガス排出に際しては、一旦アクチュエーターを缶から外し、上向きに置いたキャップの中央部にアクチュエーターを置く。次に、缶をキャップ内に押し込むと、ステムの差込深さに相当する程度で、ステムがアクチュエーターの頭部により押さえられる。アクチュエーター頭部には凹凸があるため、ステム上部の排出口からの残ガスの排出が滞ることがない。【選択図】図４
0003156282.tif 000002
【実用新案登録請求の範囲】
【請求項１】
残ガスを排出しやすくするため、指押し部分に凹凸を設けたことを特徴とするアクチュエーター
【請求項２】
請求項１に記載のアクチュエーターを安定に支持するためのキャップ
【考案の詳細な説明】
【技術分野】
【０００１】
この考案は、スプレー製品の使用後に缶内に残存する可燃性ガスを安全に排出させる技術に関するものである。
【背景技術】
【０００２】
昨今、スプレー製品の使用後に缶内に残存する可燃性ガス等を安全に排出させる技術が多数提案されているが、いずれも高い精度の成型技術を必要とする複雑なものが多く、大量生産する場合には不良率が高くなったり、単位時間当たりの生産数量が低いという問題がある。
一方、単にキャップ内に障害物を置くことで、噴射ボタン（以下、アクチュエーターという）が連続して押され、缶内に残存する可燃性ガス等を安全に排出させるという提案もされている。
【特許文献１】特許第３７２３３３０号
【考案の開示】
【考案が解決しようとする課題】
【０００３】
ところが、単にキャップ内に障害物を置くことで、アクチュエーターを連続して押す方法では、高度な成型技術は不要であるが、障害物を別途用意する必要があり、コスト増となる。
【０００４】
この考案は、上記のような従来技術に存在する問題点に着目してなされたものである。その目的とするところは、高度な成型技術や障害物を別途用意することが不要な残ガス排出用アクチュエーターおよびキャップを提供することにある。
【課題を解決するための手段】
【０００５】
上記の目的を達成するために本考案のアクチュエーターは、指押し部分を残ガスを排出する際に支障がない凹凸構造とする。
【考案の効果】
【０００６】
本考案のアクチュエーターは、指押し部分に凹凸を設けた単純な構造であるため、高度な成型技術が不要である。また、アクチュエーターを障害物として再利用するため、障害物を別途用意することが不要で、余分なコストがかからない。
【考案を実施するための最良の形態】
【０００７】
以下に、この考案を具体化した一実施形態に基づいて詳細に説明する。
【実施例１】
【０００８】
図１には、本考案のアクチュエーターの使用前の状態が示されている。アクチュエーターの指押し部分には、波状の凹凸が設けられている。この凹凸は、スプレーの使用時に押さえた指の滑り止めの機能も果たす。
図１に示されるアクチュエーターとキャップの隙間は、通常のスプレー製品と比べて小さくなっている。これは、アクチュエーター内に差し込まれている内容物の排出口を有する突起（以下、ステムという）の差込深さを利用してステムを押すためである。
【０００９】
図２には、本考案のアクチュエーターを用いた残ガス排出状態が示されている。残ガス排出に際しては、一旦アクチュエーターを缶から外し、上向きに置いたキャップの中央部にアクチュエーターを置く。
【００１０】
次に、缶をキャップ内に押し込むと、ステムの差込深さに相当する程度で、ステムがアクチュエーターの頭部により押さえられる。アクチュエーター頭部には凹凸があるため、ステム上部の排出口からの残ガスの排出が滞ることがない。図示しないキャップの端部には、缶と勘合するための係止部があるため、ステムの排出口を塞ぐことがなくステムが押さえられた状態が維持され、残ガスが最後まで排出される。
【実施例２】
【００１１】
図３には、本考案のアクチュエーター用キャップの使用前の状態が示されている。キャップ内には、図５の斜視図で現される十字状の梁が設けられている。図４の様に、アクチュエーターは、梁によりキャップ内の所定位置に固定される。梁を設けたことでキャップの高さを自由に設定できるため、通常使用においてキャップをはめる際に誤ってアクチュエーターを押すことを避けることができる。また、梁があることにより、キャップの強度を改善することもできる。
【００１２】
本実施例では、アクチュエーターの指押し部分に波状の凹凸が設けられているが、ステムの排出口を塞がない構造であれば、山状、谷状、ブロック状、波紋状、渦巻き状、かまぼこ状、斜面状、溝状、文字状溝、図案状溝等、その他の形状に変更することができる。
【００１３】
本実施例では、アクチュエーター用キャップ内には、十字状の梁が設けられているが、梁の数は適宜変更することができる。梁の形状は単純であるため、既存の金型に若干の修正を加えることで容易に改良可能である。
また、梁の代わりにアクチュエーターを所定位置に固定できる構造であれば、壁状、円柱状、すり鉢状等の形状に変更することができる。
【産業上の利用可能性】
【００１４】
アクチュエーターの指押し部分に凹凸を設けた単純な構造であるため、簡便に缶内に残存する可燃性ガス等を安全に排出させることができる。
【図面の簡単な説明】
【００１５】
【図１】本考案のアクチュエーターの使用前の状態
【図２】本考案のアクチュエーターを用いた残ガス排出状態
【図３】本考案のアクチュエーター用キャップの使用前の状態
【図４】本考案のアクチュエーター用キャップを用いた残ガス排出状態
【図５】本考案のアクチュエーター用キャップの斜視図
【符号の説明】
【００１６】
１      キャップ
２      アクチュエーター
３      ステム
４      梁
【図１】
0003156282.tif 000003
【図２】
0003156282.tif 000004
【図３】
0003156282.tif 000005
【図４】
0003156282.tif 000006
【図５】
0003156282.tif 000007
【手続補正書】
【提出日】平成21年10月21日(2009.10.21)
【手続補正１】
【補正対象書類名】実用新案登録請求の範囲
【補正対象項目名】全文
【補正方法】変更
【補正の内容】
【実用新案登録請求の範囲】
【請求項１】
残ガスを排出しやすくするため、アクチュエーターの指押し部分に凹凸を設けたことを特徴とするアクチュエーター
【請求項２】
請求項１に記載のアクチュエーターを安定に支持するためのキャップ
(57)【要約】      （修正有）【課題】外出先でも手軽に手の平や指を消毒殺菌できる携帯用消毒殺菌液袋を提供する。【解決手段】アルミの小袋に１回分の消毒液を入れ、この小袋の端に破断用の切り込みを設けた。【選択図】図２
0003156298.tif 000002
【実用新案登録請求の範囲】
【請求項１】
病気予防のために手や指を消毒殺菌するための携帯用消毒殺菌液袋であって、アルミニウム製小袋内に少量の消毒液を密封し、この小袋の一部には使用時に消毒液を取り出すための破断用の切り込みが形成されていることを特徴とする携帯用消毒殺菌液袋。
【考案の詳細な説明】
【技術分野】
【０００１】
本考案は病気、例えばインフルエンザなどの予防のために、外出先でも手軽に手の平や指を消毒殺菌することを図った携帯用消毒殺菌液袋。
【背景技術】
【０００２】
従来は外出先では携帯用のウエットティッシュやスプレー式の消毒殺菌液を使用していた。携帯用で消毒殺菌液のようなウイルス対応する物はなかった。
【先行技術文献】
【特許文献】
【０００３】
【特許文献１】特開２００２−１４５７６２号公報
【考案の概要】
【考案が解決しようとする課題】
【０００４】
今までは外出中に使用できるような携帯用消毒殺菌液袋はなかった為、帰宅したときによく手を洗ったり、スプレー式の消毒液を使用して除菌、殺菌していた。
【課題を解決するための手段】
【０００５】
この考案の携帯用消毒殺菌液袋は、破断用の切り込みが形成されたアルミニウムの小袋に１回分の消毒液、例えば３ｍｌが密封されたものであって、それをいつでも持ち歩く事により外出中でも随時使用できるようにして前記の問題点を解決している。
【考案の効果】
【０００６】
上述の様に本考案の携帯用消毒殺菌液袋はアルミの小さな薄い袋に入っているため外出するときは２袋〜３袋を携帯用ケースに入れて簡単に持ち歩くことができ、必要な都度随時、除菌、殺菌の処置ができるので手を清潔に保つ事ができる。
【図面の簡単な説明】
【０００７】
【図１】本考案の携帯用消毒殺菌液小袋が箱に多数入っている状態の斜視図。
【図２】消毒殺菌液が入っているアルミの小袋の正面図。
【図３】小袋を携帯用ケースに入れた正面図。
【図４】携帯用ケースの側面図。
【考案を実施するための形態】
【０００８】
以下、本考案を実施するための形態について説明する。
【０００９】
携帯用消毒殺菌液袋１は、アルミニウムの小袋又はプラスチックの小袋に１回使用する分の約３ｍｌを入れており、使用するときは袋の端のキリトリ線２の部分を切りとり、中の消毒液を手の平に出して手指腕にすり込んで消毒殺菌する。
【００１０】
携帯用消毒殺菌液袋１は、よこ５ｃｍ、たて３ｃｍぐらいで、その中に消毒液が約３ml入っている。この携帯用消毒殺菌液小袋30袋がひとつの箱３に入っている。
【００１１】
この携帯用消毒殺菌液小袋１を外出で持ち歩くときは、図３、図４の携帯ケース４内にこの小袋１を２袋〜３袋入れておく。そして朝、昼,夕に３回手や指等を消毒すれば殺菌、除菌の作用で病気、例えばインフルエンザの予防になる。
【符号の説明】
【００１２】
１    携帯用消毒殺菌液袋が１回分入った小袋
２    消毒液を出すためのキリトリ部分
３    携帯用消毒殺菌液袋の小袋が入っている箱。
４    持ち歩くための携帯用ケース。
５    携帯用ケースの先端部分を差し込む切り目
６    携帯用ケースの先端部分
【図１】
0003156298.tif 000003
【図２】
0003156298.tif 000004
【図３】
0003156298.tif 000005
【図４】
0003156298.tif 000006
(57)【要約】      （修正有）【課題】食物の滑落を防止するエコ箸の滑り止め構造を提供する。【解決手段】エコ箸の滑り止め構造は、箸１０の食物を挟む細い方の端１１に滑り止め構造を設置し、滑り止め構造はＰＵ、或いはシリコン材質により製造する滑り止めカバー１２で、滑り止めカバー１２を箸１０の細い方の端１１に嵌めて設置し、或いは箸１０の食物を挟む細い方の端１１をＰＵ、或いはシリコン材質に浸し滑り止め膜を直接形成し、滑り止め構造を利用して食物の挟み取りを容易にすることができる。【選択図】図１
0003156206.tif 000002
【実用新案登録請求の範囲】
【請求項１】
エコ箸の滑り止め構造において、箸の食物を挟む細い方の端に、滑り止め構造を設置し、前記箸はこれにより、食物を挟む際に滑り止め作用を発揮し、こうして食物が箸から滑落して落下する状況の発生を回避可能であることを特徴とするエコ箸の滑り止め構造。
【請求項２】
前記滑り止め構造は、PU、或いはシリコン材質により製造する滑り止めカバーで、
前記滑り止めカバーを、前記箸の細い方の端に嵌めて設置することを特徴とする請求項１に記載のエコ箸の滑り止め構造。
【請求項３】
前記滑り止め構造は、前記箸の食物を挟む細い方の端をPU、或いはシリコン材質に浸し、滑り止め膜を形成することを特徴とする請求項１に記載のエコ箸の滑り止め構造。
【考案の詳細な説明】
【技術分野】
【０００１】
本考案はエコ箸の滑り止め構造に関し、特に箸に応用し、食物を挟む際に滑り止め作用を発揮するエコ箸の滑り止め構造に関する。
【背景技術】
【０００２】
従来の箸により食物、特に滑り易い食物を挟む時には、食物が箸から滑落して落下する状況がしばしば発生する。これは、使用者に非常に気まずい思いをさせる。本考案は、従来の箸の上記した欠点に鑑みてなされたものである。
【考案の概要】
【考案が解決しようとする課題】
【０００３】
本考案が解決しようとする課題は、箸の食物を挟む細い方の端に滑り止め構造を設置し、これにより箸は食物を挟む際に滑り止め作用を発揮し、食物が箸から滑落して落下する状況の発生を防止可能であるエコ箸の滑り止め構造を提供することである。
【課題を解決するための手段】
【０００４】
上記課題を解決するため、本考案は下記のエコ箸の滑り止め構造を提供する。エコ箸の滑り止め構造は、PU、或いはシリコン材質により製造する滑り止めカバーで、該滑り止めカバーを箸の細い方の端に嵌めて設置し、該滑り止め構造は、箸の細い方の端をPU、或いはシリコン材質に浸し、滑り止め膜を直接形成する。
【考案の効果】
【０００５】
本考案エコ箸の滑り止め構造は、箸の食物を挟む細い方の端に滑り止め構造を設置し、これにより箸は食物を挟む際に滑り止め作用を発揮し、食物が箸から滑落して落下する状況の発生を防止可能である。
【図面の簡単な説明】
【０００６】
【図１】本考案第一実施例の立体分解模式図である。
【図２】本考案第一実施例の断面組合せ模式図である。
【図３】本考案第二実施例の立体組合せ模式図である。
【図４】本考案第二実施例の断面組合せ模式図である。
【図５】本考案第一実施例の使用状態を示す模式図である。
【図６】本考案第二実施例の使用状態を示す模式図である。
【考案を実施するための形態】
【０００７】
以下に図面を参照しながら本考案を実施するための最良の形態について詳細に説明する。
【実施例】
【０００８】
本考案第一実施例の立体分解模式図、及び断面組合せ模式図である図１、図２に示すように、本考案第一実施例では、箸１０の食物を挟む細い方の端１１に、滑り止め構造を設置する。滑り止め構造は、PU、或いはシリコン材質により製造する滑り止めカバー１２で、滑り止めカバー１２を、箸１０の細い方の端１１に嵌めて設置する。
【０００９】
本考案第二実施例の立体組合せ模式図、及び断面組合せ模式図である図３、４に示すように、本考案第二実施例では、箸１０の食物を挟む細い方の端１１をPU、或いはシリコン材質に浸し、これにより箸１０の細い方の端１１に１層の滑り止め膜１３を直接形成する。
【００１０】
本考案第一、第二実施例の使用状態を示す模式図である図５、６に示すように、箸１０により食物を挟む時には、滑り止めカバー１２或いは滑り止め膜１３を利用して、滑り止め作用を増強することができる。これにより、使用者は簡単に食物を挟み取れるようになり食物が箸１０から滑落して落下する体裁の悪い状況の発生を回避することができる。
【００１１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１２】
本考案が提供するエコ箸の滑り止め構造は、実際に製造し、既に繰り返し実証試験を行なっており、これにより、本考案が予期の機能と効果を達成可能であることが証明されている。さらに、本考案は実用新案の要件である新規性を備え、従来の同類製品に比べ十分な進歩を有し、実用性が高く、社会のニーズに合致しており、産業上の利用価値は非常に大きい。
【符号の説明】
【００１３】
１０  箸
１１  細い方の端
１２  滑り止めカバー
１３  滑り止め膜
【図１】
0003156206.tif 000003
【図２】
0003156206.tif 000004
【図３】
0003156206.tif 000005
【図４】
0003156206.tif 000006
【図５】
0003156206.tif 000007
【図６】
0003156206.tif 000008
(57)【要約】      （修正有）【課題】使用者個人の個性や創造性、デザインセンスを表現でき、同じ職場や専門学校など複数人で同じ製品を使用している場合に私物の識別が容易な散髪鋏を提供する。【解決手段】鋏本体の握り部の後方に備えられた小指掛けに、取り付け穴を設け、そこに装飾品や名札等の小物を、取り付けられる事を特徴とする。【選択図】図２
0003156205.tif 000002
【実用新案登録請求の範囲】
【請求項１】
鋏本体の握り部２の後方に備えられた小指掛け６に、取り付け穴７を設け、そこに装飾品や名札等の小物８を取り付けられるようにした事を特徴とする散髪鋏。
【考案の詳細な説明】
【技術分野】
【０００１】
本考案は、理容・美容、ペット美容の散髪に用いる散髪鋏である。
【背景技術】
【０００２】
一般的に散髪鋏の握り部には指を通す指穴部とその後方に備えられた小指を掛けるための凸部が設けられたものが多い。
【０００３】
従来、これらの散髪鋏はその機能のみを重視して設計され、単なる道具として使用されている。
【０００４】
このような散髪鋏に何らかの装飾を施せば使用者個人のセンスを表現でき、作業も華やかに見え、私物の識別にも効果があります。
【考案の概要】
【考案が解決しようとする課題】
【０００５】
解決しようとする問題点は、現在の散髪鋏は各メーカー独自の既成品しかありません。デザインカットをする職業にもかかわらず職人の鑑である道具に使用者個人の個性やデザインセンスも表現できません。
【０００６】
そして同じ職場や専門学校など複数人で同じ製品を使用している場合に、私物の識別が難しく混乱を招いていた。
【０００７】
また、散髪鋏に場所を問わずむやみに装飾を施すと作業の邪魔になり、鋏の修理をするうえにも妨げとなる。
【課題を解決するための手段】
【０００８】
本考案は上記の課題を解決する為に、鋏本体の握り部の後方に備えられた小指掛けに取り付け穴を設け、そこに装飾品や名札等の小物を取り付けられるようにした。
【考案の効果】
【０００９】
以上のように本考案は既成品の散髪鋏の小指掛け部に取り付け穴を設ける事により、作業性を妨げる事なく使用者の個性や創造性などのセンスを自由に表現できるようになり、個人の所有物を識別する事ができる。
【図面の簡単な説明】
【００１０】
【図１】実施形態の散髪鋏を示す正面図
【図２】装飾品取り付け例
【図３】Ａ・Ｂ・Ｃは装飾品取り付け穴の拡大図
【考案を実施するための形態】
【００１１】
図１が示すように鋏は静刃指穴部３を有する静刃と動刃指穴部４を有する動刃をネジ５で接合し、ネジを中心にせん断作業側を刃部１とし手に持つ側を握り部２とする。図３（Ａ）〜（Ｃ）に示すように握り部２の後方に備えた小指掛け６に取り付け穴７を設け、図２に示すような環や紐状のもので装飾品や名札などの８を取り付けるか、直接この取り付け穴７に取り付ける。
【符号の説明】
【００１２】
１    刃部
２    握り部
３    静刃指穴部
４    動刃指穴部
５    ネジ
６    小指掛け
７    取り付け穴
８    装飾品や名札
【図１】
0003156205.tif 000003
【図２】
0003156205.tif 000004
【図３】
0003156205.tif 000005
(57)【要約】【課題】  トイレットティッシュの軟包装袋において、容易に中のティッシュの取り出しができる易開封性包装袋を提供する。【解決手段】  軟包装袋に垂直に中央部分までミシン目を入れ、さらに、ミシン目部分には粘着性シールテープを施し、包装袋の強度および機密性を高めて湿気の浸入や水滴の浸入などがないようにする。【選択図】図１
0003156258.tif 000002
【実用新案登録請求の範囲】
【請求項１】
トイレットティッシュの軟包装袋側面に、上部より側面左右中間部の縦中央部分に向かってミシン目を入れ、かつミシン目の上に粘着性のシールテープを貼り付ける事を特徴としたトイレットティッシュ軟包装袋。
【考案の詳細な説明】
【技術分野】
【０００１】  本考案は、トイレットティッシュの包装袋を容易に開封し、中のトイレットティッシュを簡易に取り出す事ができる軟包装袋に関するものである。
【背景技術】
【０００２】  従来、１２ロールのトイレットティッシュを包装袋より取り出すためには、包装袋をナイフ等で切開するか、もしくは指で破り、中のティッシュを取り出すしか方法はなかった。ナイフ等で切断した場合、注意を払わなければ中のティッシュまで切断する可能性があった。また、指で破った場合、破り後は見た目にも汚く、残りのティッシュをそのまま保存するには美観的に好ましくない。【０００３】  以上のような背景があるにも関わらず、現時点では各製紙メーカーともこの問題を解決する方法を見出していない。技術的には問題のない事であるが、各メーカーが解決しようとしないのは、製造コストの問題と耐久性の問題だけであると思われる。
【先行技術文献】
特になし。
【考案の概要】
【考案が解決しようとする課題】
【０００５】  本考案は上記のような事情を鑑みて、製造コストや耐久性を考慮したトイレットティッシュ易開封性包装袋を提供することを課題とする。
【課題を解決するための手段】
【０００６】  本考案では、上記の課題を解決するために、軟包装袋に垂直に上部より側面上下中央部分までミシン目を入れ、ミシン目の部分には粘着性シールテープを施して機密性を高める。【０００７】  さらに、シールテープの下端には容易にシールテープを剥がす事が出来るように粘着剤の無い部分を設ける。
【考案の効果】
【０００８】  本考案によって、軟包装袋に入ったトイレットティッシュの取り出しが容易になり、必用個数を取出した後も美観を損なうことなくそのまま保存できる様になった。
【図面の簡単な説明】
【０００９】
【図１】本考案の側面図である。
【図２】本考案の上部矢視図である。
【考案を実施するための形態】
【００１０】  軟包装袋に左右中央の上部から側面上下中央部分までミシン目を入れ、さらに、気密性を保つためミシン目の上に粘着性シールテープを貼り、安易に破けないようにする。これによって、ティッシュの取出しの時はシールテープを下から上に剥がす事によってティッシュの取り出しが容易になった。
【実施例】
【００１１】  以下に図面にしたがって実施例を説明する。図２のように軟包装袋の上部から、図１の縦中央部分までミシン目を入れる。ミシン目のままでは強度と気密性を保つ事が出来ないので、ミシン目の上に粘着性シールテープを貼り、強度及び気密性を確保する。【００１２】  さらに、シールテープ下部には、下端より約１ｃｍ程粘着剤を塗布せず、シールテープを剥がしやすいようにする。このシールテープを貼ることによって、軟包装袋を持ち上げたときの強度および気密性を保つ事ができる。
【符号の説明】
【００１８】１  トイレットティッシュ
２  軟包装袋
３  ミシン目
４  粘着性シールテープ
【図１】
0003156258.tif 000003
【図２】
0003156258.tif 000004
(57)【要約】      （修正有）【課題】左右分離して着用できるイヤーキャップを提供する。【解決手段】片耳に被せるイヤーキャップに、耳にかける伸縮性を有するものを付ける。【選択図】図２
0003156260.tif 000002
【実用新案登録請求の範囲】
【請求項１】
片耳に被せるイヤーキャップに、耳にかける伸縮性を有するものを付けることにより、落下を防止し、片方もしくは左右分離しての着用を可能にするイヤーキャップ。
【考案の詳細な説明】
【技術分野】
【０００１】本考案は、片耳に被せて着用出来ることを可能に関する。
【背景技術】
【０００２】従来の耳カバー（耳あて）は、落下防止の点からも左右が繋がっていて、片方及び左右分離しての着用が不可能であり、新たに開発もされていない。
【考案の開示】
【考案が解決しようとする課題】
【０００３】左右が繋がっている耳カバーは、頭上等にのせたり付けたりすることにより、美観的及び感触的違和感等がある。（図３）
【課題を解決するための手段】
【０００４】耳カバーを片方もしくは、左右分離して使用する場合は、固定することが難しく落下も否めなかった。そこで、片耳に被せるイヤーキャップに、耳にかける伸縮性を有するものを付けることにより、落下を防ぎ、片方もしくは左右分離して着用することを可能にすることを考案し、快適に着用出来るようにした。原理はシンプルであるが、画期的な考案である。（図１）（図２）
【考案の効果】
【０００５】よって、本考案のニューイヤーカバーにより、防寒用具としておしゃれに、又は、医療分野での耳の治療用具としても利便的に、片方もしくは、左右分離して着用出来、大変便利であり、機能的且つ有効的である。
【考案を実施するための最良の形態】
【０００６】本考案に係るニューイヤーキャップは、図１に示すように、片耳に被せるイヤーキャップに、さらに耳にかける伸縮性の有するものを付けることにより、落下を防ぎ、左右分離して快適に着用出来ることが可能になった。
【図面の簡単な説明】
【０００７】
【図１】本考案に係るイヤーキャップの内面図である。
【図２】本考案のイヤーキャップを耳に付けた内面図である。
【図３】従来の耳カバーの図である。
【符号の説明】
【０００８】  １      耳にかけるもの
２      耳
３      耳にかけた状態
１０      イヤーキャップ
【図１】
0003156260.tif 000003
【図２】
0003156260.tif 000004
【図３】
0003156260.tif 000005
(57)【要約】      （修正有）【課題】自然落下することなく、安全性の高い昇降中の落下防止付き昇降機を提供する。【解決手段】タイミングベルトを取り付けた、駆動軸、原車軸及び従車軸を中空フレームに取り付ける。タイミングベルトにはスライダーを取り付ける。駆動軸にメカニカルブレーキユニットを組み込み、回転ハンドルを取り付け、回転してスライダーを動かし、アンテナ及びポールを昇降する。【選択図】図１
0003156254.tif 000002
【実用新案登録請求の範囲】
【請求項１】
（イ）両立した中空フレームの中心位置に駆動軸、上部に原車軸、下部に従車軸をつける。
（ロ）駆動軸、原車軸、従車軸にエンドレスのタイミングベルトを取り付ける。
（ハ）タイミングベルトに中空フレームに沿って移動する、スライダーを取り付ける。
（ニ）駆動軸に落下防止のメカニカルブレーキユニットを組み込む。
（ホ）駆動軸に回転ハンドルを取り付け回転して、スライダーを動かしアンテナ及びポールを昇降する。
以上の如く構成され、落下防止装置を備えたアンテナポール昇降機。
【請求項２】
回転ハンドルを充電式ドリルドライバーにした、請求項１のアンテナポール昇降機。
【請求項３】
回転ハンドルを回転制御用ＡＣモーターにした、請求項１のアンテナポール昇降機。
【考案の詳細な説明】
【技術分野】
【０００１】この考案は、中空フレームとタイミングベルトを採用したアンテナポール昇降機で、回転ハンドルとタイミングベルト駆動軸の間にメカニカルブレーキユニットを組み込んだ装置である。メカニカルブレーキユニットを組み込むことによって、アンテナ及びポールの昇降作業中、誤操作等によるアンテナポールの自然落下を防止して、安全性を高めることを特徴とするものである。
【背景技術】
【０００２】従来のアンテナポ−ル昇降機は、簡単な落下防止機構が採用されていたが、昇降作業中にアンテナポールの落下事故発生など、安全性の低い装置であった。
【考案が解決しようとする課題】
【０００３】本考案は、その欠点を除いて安全性の高いアンテナポール昇降機を提供しようとするものである。
【課題を解決するための手段】
【０００４】回転ハンドルとタイミングベルト駆動軸の間に、メカニカルブレーキユニットを組み込み、タイミングベルトを駆動する。複数個のポールを嵌脱して昇降中、何らかの理由で回転ハンドルから手が離なれても、メカニカルブレーキユニットの摩擦板とデスクハブが密着して、タイミングベルト駆動軸にブレーキ力が発生して、アンテナ及びポールの自然落下を防止する昇降機である。
【考案の効果】
【０００５】タイミングベルト駆動軸３にメカニカルブレーキユニット２が組み込まれているので、昇降作業中にどの位置で作業を中止しても、回転ハンドル１から手を離しても、その時点でブレーキ力がタイミングベルト軸に発生するので、自然落下することなく安全である。
【考案を実施するための最良の形態】
【０００６】本考案の実施例について説明する。
本昇降機は、回転ハンドル１を回すとタイミングベルト４を介してタイミングベルト５に伝達される。タイミングベルト５には、中空フレームに沿って動くスライダー６が取り付けられており、このスライダー６によってアンテナ及び複数個のアンテナポールが、嵌脱されて昇降する構造となっている。
タイミングベルト駆動軸３には、摩擦板１３にスラスト方向の荷重を与えるねじが直接加工されている。以下に昇降動作の詳細を記す。
（ａ）荷重を押し上げる場合、回転ハンドル１を回すと、ハンドルボス１５に加工されているねじによりデスクハブ１２側に荷重が働き、摩擦板１３とデスクハブ１２とつめ車１４とハンドルボスが密着し、同時にデスクハブ１２とタイミングベルト軸３はスプラインにより固定されているので、摩擦力でタイミングベルト駆動軸３が回転して、スライダー６が受けているアンテナ及びポールは押し上げられる。
（ｂ）荷重を下げる場合は、回転ハンドル１を逆回転すると回転ハンドル１のハンドルボス１５に加工されているねじにより、逆のスラスト荷重が働きタイミングベルト駆動軸３にスプラインで固定された、つめカラーでタイミングベルト駆動軸３は逆転してテナ及びポールは下降する。
（ｃ）荷重が掛っている状態で動作を停止した場合、アンテナ及びポールの荷重はスライダー６から、タイミングベルト駆動軸３に下向きに負荷された状態になる。
荷重を押し上げる場合と同じで、デスクハブ１２側にスラスト荷重が働き、摩擦板１３とデスクハブ１２とつめ車１４とハンドルボス１５が密着して、つめ車１４のロックによってアンテナ及びポールの自然落下を防止する。
【図面の簡単な説明】
【０００７】
【図１】本考案の本体図
【図２】本体図のＡ−Ａ断面図
【図３】他の実施例（１）
【図４】他の実施例（１）のＢ−Ｂ断面図
【図５】他の実施例（２）
【図６】他の実施例（２）のＣ−Ｃ断面図
【図７】メカニカルブレーキの詳細図
【符号の説明】
【０００８】１    回転ハンドル                                １１  回転制御用ＡＣモーター
２    メカニカルブレーキユニット                  １２  デスクハブ
３    タイミングベルト駆動軸                      １３  摩擦板
４    タイミングベルト                            １４  つめ車
５    タイミングベルト                            １５  ハンドルボス
６    スライダー
７    原車軸
８    従車軸
９    中空フレーム
１０  充電式ドリルドライバー
0003156254.tif 000003
0003156254.tif 000004
0003156254.tif 000005
0003156254.tif 000006
【手続補正書】
【提出日】平成21年10月27日(2009.10.27)
【手続補正１】
【補正対象書類名】図面
【補正対象項目名】全図
【補正方法】変更
【補正の内容】
【図１】
0003156254.tif 000007
【図２】
0003156254.tif 000008
【図３】
0003156254.tif 000009
【図４】
0003156254.tif 000010
【図５】
0003156254.tif 000011
【図６】
0003156254.tif 000012
【図７】
0003156254.tif 000013
(57)【要約】      （修正有）【課題】就寝時に寝姿勢を変える事を容易に行え、頭部を安定的に保持する補助器具を提供する。【解決手段】二枚の生地を縫い合わせ、さらに内部を波状の縫い目を入れることにより独立した三室の部分が形成されており頭部の形状に適合した形、高さ、快適な使用感に対応可能な内容物の選択、分量調節可能な構造である。【選択図】図５
0003156257.tif 000002
【実用新案登録請求の範囲】
【請求項１】
二枚の布生地を縫い合わせ袋状に縫製した後、波状の縫い目を入れ三室の独立した部分が形成される形状の就寝時使用の補助器具。
【請求項２】
三室の独立した部分に材質、形状の異なった充填物を封入し、高さ、硬さ、など使用感の変化をもたせることできる事を特徴とする［請求項１］に記載の就寝時使用の補助器具。
【考案の詳細な説明】
【技術分野】
【０００１】本考案は就寝時に寝姿勢を変える事を容易に行え、頭部を安定的に保持することを目的とした補助器具である。
【背景技術】
【０００２】就寝時の補助器具は一般的に単一素材の綿、ウレタンフォームなどを充填した「枕」が開示されている。
【考案の概要】
【考案が解決しようとする課題】
【０００３】この考案の目的は「仰向け寝」「横向き寝」時の頭部と枕、寝具等との接地面にかかる荷重を分散させるとともに、寝姿勢を変える場合頭部を持ち上げることなくスムーズな移行を促すことである。
【課題を解決するための手段】
【０００４】請求項１に記載の考案は二枚の生地を縫い合わせ、さらに内部を波状の縫い目を入れることにより独立した三室の部分が形成されており頭部の形状に適合した形、高さ、快適な使用感に対応可能な内容物の選択、分量調節可能な構造である。
【図面の簡単な説明】
【０００５】
【図１】縫い目１により二枚の布生地を袋状に縫製した図
【０００６】
【図２】縫い目２により３カ所の独立した部分を形成した図
【０００７】
【図３】波状の曲線の縫い目を施した事により、仕切られた室の容積が順次変化することを表した図
【０００８】
【図４】仕切られた室が３カ所になることを表した図
【０００９】
【図５】仕切られた３カ所の室に内容物を充填、封印したことにより高さが変化することを表した図
【図１】
0003156257.tif 000003
【図２】
0003156257.tif 000004
【図３】
0003156257.tif 000005
【図４】
0003156257.tif 000006
【図５】
0003156257.tif 000007
(57)【要約】      （修正有）【課題】跳躍等によっても外れる事がなく、プレーの邪魔にならないゴルフカウンターを提供する。【解決手段】挿通孔３の開いている珠２の必要数に、珠２を下げる分のゆとりを持たせ、順次、規則正しくゴム紐体１を交差させながら通し、上部で結び止めした構成になっているので、珠２を指で下げると、珠の交差部が移動するため、移動した珠とそうでない珠との間隔がはっきり分かれ、カウントで移動した珠とそうでない珠の数を明確にカウントすることができる。【選択図】図２
0003148608.tif 000002
【実用新案登録請求の範囲】
【請求項１】
図１、図２、図３において、１は伸縮性と摩擦力のあるゴム紐体であること。
【請求項２】
各々、挿通孔３のある珠２の挿通孔３に、一定間隔で順次複数の珠にゴム紐体１を挿通して連結させ、ゴム紐体１の最下部の交差部より下方部５を交差部と交差部の間隔よりも長くとるよう形成すると共に、結び目６より更に上にゴム紐体１で装着部７を設ける事により、止め具等を使用することなく、ズボンのベルト又はベルト通しに簡単に装着することができる事を特徴とするカウンター。
【考案の詳細な説明】
【技術分野】
【０００１】  本考案は主としてゴルフプレーにおいて、クラブを何回振り上げてゴールしたのか、カウントを数えるのに使用するものである。
【背景技術】
【０００２】  従来のカウンターは、手首や手袋等に装着し、指で押しボタンを押すことにより、順次カウント表示されて数値が上がる様に構成された機械的なカウンターが主流である。
【考案の開示】
【考案が解決しようとする課題】
【０００３】  従来のカウンターでは、両腕を用いるゴルフでは、手首や手袋に装着した場合、外れてしまったり、プレーの邪魔になってしまったりする場合がある。
【課題を解決するための手段】
【０００４】  本考案は、ゴム紐体に通した珠を下げる行為で簡単にカウントでき、ゴム紐体をズボンのベルト又はベルト通しに通し、くぐらせて装着することにより、外れたり、プレーの邪魔になったりする事を防いで、課題を解決している。
【考案の効果】
【０００５】  本考案はカウンター機能を十分に備え、ズボンのベルト又はベルト通しに吊り下げて装着するため、跳躍等によっても外れる事がないという効果があり、プレーの邪魔にならない。
更に、ゴム紐体と珠で構成されているので、比較的安価に提供できるという効果もある。
また、ファッションの一部として、アクセサリー的な美しさも有するカウンターを提供できるという効果がある。
【考案を実施するための最良の形態】
【０００６】  本考案は、挿通孔の開いている珠の必要数に、珠を下げる分のゆとりを持たせ、順次、規則正しくゴム紐体を交差させながら通し、上部で結び止めした構成になっているので、珠を指で下げると、珠の交差部が移動するため、移動した珠とそうでない珠との間隔がはっきり分かれ、カウントで移動した珠とそうでない珠の数を明確にカウントすることができる。
【実施例】
【０００７】以下、図面を参照して、本考案の実施例について説明する。
図１、図２、図３において、１はゴム紐体であること。
上下方向に一定間隔で複数の交差部を設け、珠を移動させるので、伸縮性と摩擦力のあるものが良い。
珠２の自重で珠２が自然に下がってしまっては正確なカウントができなくなるので、それを防ぐためである。
珠２は、中心部に挿通孔３があり、挿通孔３内に、交差部４が位置するようにゴム紐体を挿通孔３に挿通させる。
ゴム紐体の最下部の交差部より下方部の５は、交差部と交差部の間隔よりも長くなる様に形成し、結び目６により固定させ、更にベルト装着部７を設け、結び目により固定させる。【０００８】  本実施例においては、装着部７をズボンのベルト又はベルト通しに通し、くぐらせて装着して使用する。
【図面の簡単な説明】
【０００９】
【図１】本考案カウンターの実施例を示す一部切欠正面図である。
【図２】本考案カウンターの３の打数を示す使用状態を示す斜視図である。
【図３】本考案カウンターをベルト又はベルト通しに装着する状態を示す図である。
【符号の説明】
【００１０】１  ゴム紐体
２  珠
３  挿通孔
４  交差部
５  下方部
６  ゴム紐体結び目
７  ベルト装着部
８  ベルト通し
【図１】
0003148608.tif 000003
【図２】
0003148608.tif 000004
【図３】
0003148608.tif 000005
【手続補正書】
【提出日】平成20年11月12日(2008.11.12)
【手続補正１】
【補正対象書類名】実用新案登録請求の範囲
【補正対象項目名】全文
【補正方法】変更
【補正の内容】
【実用新案登録請求の範囲】
【請求項１】
各々、挿通孔３のある珠２の挿通孔３に、伸縮性と摩擦力のあるゴム紐体１を交差させながら交互に通して連結させ、ゴム紐体１の交差部と交差部の間隔より長い余裕部５を持たせて、ゴム紐体１に結び目６を形成したことを特徴とするカウンター。
(57)【要約】      （修正有）【課題】簡便に、ショルダーバックとして使用出来るようにしたリュックサックを提供する。【解決手段】リュックサックの肩掛けベルトを上方部で、上、下に分離し・端部に連結具１をそれぞれ取り付ける。リュックサック前面部にも連結具２を取り付ける。さらにリュツクサック本体上方部、前面と裏面にファスナー３を付け、ファスナーを取り付けた上部を本体内側に折り込み、ファスナーを閉め、連結具の裏面下部を前面部の連結具に装着し、ベルトの長さを調節し、ショルダーバックとして使用する。【選択図】図１
0003148606.tif 000002
【実用新案登録請求の範囲】
【請求項１】
リュツクサックを簡便に、ショルダーバックとして使用する。
リュツクサックの肩掛けベルトを、上、下、二つに分離し端部に係止め連結具を、それぞれ取り付け、さらにリュツク前面にも連結具２コを取り付ける。本体上方部、表面と裏面にファスナーを取り付け、本体上方部を内側に折り込み、ファスナーを閉める。本体下部ベルトを表側の連結具に差し込み、ショルダーバックとして使用する。
【考案の詳細な説明】
【技術分野】
【０００１】  本考案は、リュツクサックを簡便に、ショルダーバックとして使用出来る様にするものである。
【背景技術】
【０００２】  リュツクサックとして、今までは他の型での使用はあまり成されていなかった。
【考案の開示】
【考案が解決しようとする課題】
【０００３】  リュツクサック使用は、重い物を背負う時は、身体への負担を軽くするものであるが、荷が軽い時は、背負う必要がなくなる場合もある。
【課題を解決するための手段】
【０００４】  本考案は、リュックサックの肩掛けベルトを上、下、２つに分離し端部に係止め連結具をそれぞれ取り付け、本体表部にもバックル（連結具）を取り付ける。さらに本体表、裏上部にファスナーを取り付ける。ショルダーバック使用時には、本体上部を内側に折り込み、ファスナーを閉め、下部ベルトを伸ばし、表側のバックルに差し込み使用する。
【考案の効果】
【０００５】  リュツクサックは、夏期使用時は特に暑く、ファツション性も今ひとつであるが、ショルダーバックはそれを解決するものである。
【図面の簡単な説明】
【０００６】
【図１】本考案の表、裏部を表記
【符号の説明】
【０００７】１  連結具１
２  連結具２
３  ファスナー
４  ベルト固定ボタン
【図１】
0003148606.tif 000003
【手続補正書】
【提出日】平成20年11月10日(2008.11.10)
【手続補正１】
【補正対象書類名】実用新案登録請求の範囲
【補正対象項目名】全文
【補正方法】変更
【補正の内容】
【実用新案登録請求の範囲】
【請求項１】
ショルダーバックとしても使用出来るリュックサックであって、
（１）  リュックサックの肩掛けベルトを、上、下二つに分離し、ベルト端部に係止め連結具を、それぞれ取り付ける。
（２）  ファスナーを、本体上方部の前面と裏面に取り付ける。
（３）  本体前面ファスナー下部分に、係止め連結具を２コ取り付ける。
以上の構成をそなえ、リュックサックを、ショルダーバックとして使用する時は、ファスナーより上部を内側に折り込みファスナーを閉め、裏面よりのベルトを前面の連結具に装着し、使用するリュックサック。
(57)【要約】【課題】  熱湯をかけることによって、芽生えたばかりの雑草退治や庭の虫退治をする。その道具としてやかん型じょうろを実現する。【解決手段】  熱湯を使用するため、やかんの特性を生かしたじょうろとするものである。やかんの水出口にじょうろの金属製水出口をとりつけることで、家庭内で水を熱湯として、持運びができ庭に放射状に広範囲に熱湯を撒くことができる。【選択図】図１
0003148610.tif 000002
【実用新案登録請求の範囲】
【請求項１】
持ち手部分を除く本体をステンレスやアルミニウムの金属でつくり、水または熱湯を水出口からそのまま放射状に撒くことができるやかん型のじょうろ。
【考案の詳細な説明】
【技術分野】
【０００１】  本考案は熱湯が使用できる、やかん型のじょうろに関するものである。
【背景技術】
【０００２】  じょうろでは水を熱湯にできないが、やかんは従来より熱湯を利用する道具として知られている。
【考案の開示】
【考案が解決しようとする課題】
【０００３】  熱湯が使えるやかんでは水出口がひとつ穴で、じょうろのように放射状に水や熱湯を出すことができない欠点がある。
【問題を解決するための手段】
【０００４】  本考案は、従来のやかん水出口にじょうろの金属製水出口を合体させることで水を熱湯にかえることができ、放射状に撒くことで解決するものである。
【考案の効果】
【０００５】  本考案のやかん型じょうろは、水を熱湯にでき広範囲に撒くことができる。熱湯は芽生えたばかりの雑草退治ができるし、又、庭や草むらにひそんでいる虫を退治するという優れた効果を発揮するものである。
【考案を実施するための最良の形態】
【０００６】  本考案は、図１に示されるように、やかん型の本体水出口にじょうろの金属製水出口をとりつけるものである。
【実施例】
【０００７】  家庭の庭には、種から芽生えたばかりの雑草やゴミムシ・ムカデなどが生息している。これらに熱湯をかけて退治する。
【図面の簡単な説明】
【０００８】
【図１】  本考案の実施例を示す図である。
【符号の説明】
【０００９】  １・・・本体
２・・・水出口
３・・・給水口
４・・・持ち手
【図１】
0003148610.tif 000003
【手続補正書】
【提出日】平成20年11月12日(2008.11.12)
【手続補正１】
【補正対象書類名】実用新案登録請求の範囲
【補正対象項目名】全文
【補正方法】変更
【補正の内容】
【実用新案登録請求の範囲】
【請求項１】
やかんの水出口先端に、無数の穴をあけたじょうろ水出口と同様の構造をもつ、やかん型じょうろ。
(57)【要約】      （修正有）【課題】臭気吸気口がホコリで目詰まりを起こし脱臭性能が低下しない様に、自動又は手動操作により、簡単にメッシュフィルターの清掃を行える様にし、脱臭機能がいつも正常に作動する様にした洗浄便座脱臭メッシュフィルター洗浄装置を提供する。【解決手段】臭気吸気口６のメッシュフィルター５がホコリで目詰まりを起こす前に、タイマースイッチ２又は手動スイッチ１にて電磁バルブ３を操作し洗浄ノズル４より水を噴射して、簡単にメッシュフィルター５の清掃を行える様にして、脱臭機能がいつも正常に作動する様にする。【選択図】図１
0003148602.tif 000002
【実用新案登録請求の範囲】
【請求項１】
便器に取り付けるて使用する、ウォシュレット（洗浄便座）の脱臭空気取り入れ口のメッシュフィルターの汚れを、タイマー回路を取付、定期的に自動で又は手動で水をノズルから噴射してメッシュフィルターのホコリを洗い流し清掃する装置
【考案の詳細な説明】
【技術分野】
【０００１】本考案は脱臭空気の吸い込み口のメッシュフィルターを取り外し清掃する、手間を省くと共に自動で定期的に清掃する装置
【背景技術】
【０００２】従来はメッシュフィルターを取り外さないで、清掃する装置が無かった。又、自動で清掃する装置も無かった。
【考案の開示】
【考案が解決しようとする課題】
【０００３】トイレを使用した時の悪臭を、脱臭装置で脱臭しています。脱臭能力を上げる為に活性炭等を使用して居る場合も有りますが、トイレは衣服を脱いだり着たりする為に衣服のホコリが舞い悪臭の吸い込み口に付いている、メッシュフィルターが目詰まりをおこし、悪臭が吸い込まれず脱臭装置の機能が充分に働かないという問題が有るのにも関わらず、清掃する事に手間が掛かる為行わない事が多く性能が充分に発揮できない。
【課題を解決する為の手段】
【０００４】▲５▼メッシュフィルター内部より、▲１▼手動スイッチ又は▲２▼タイマースイッチで自動的に水を噴射して▲５▼メッシュフィルターの▲９▼ホコリを除去し、悪臭の吸い込みを良くします。
【考案の効果】
【０００５】▲２▼タイマースイッチの作動で自動で定期的にメッシュフィルターを清掃する為、悪臭の吸い込み能力が落ちる事が無く、脱臭装置の機能が続く限り脱臭が続きます。
【図面の簡単な説明】
【０００６】
【図１】本考案の断面図です。
【図２】メッシュフィルター洗浄部拡大した図面です。
【符号の説明】
【０００７】▲１▼手動スイッチ
▲２▼タイマースイッチ
▲３▼電磁バルブ
▲４▼洗浄ノズル
▲５▼メッシュフィルター
▲６▼臭気吸込口
▲７▼脱臭剤材
▲８▼ファン
▲９▼ホコリ
【図１】
0003148602.tif 000003
【図２】
0003148602.tif 000004
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
便器に取り付けて使用する、洗浄便座の臭気吸込口のメッシュフィルターの内側に水を吹き付ける為のノズルを設置し、そのノズルをパイプで水道管と接続する。パイプの途中に電気を通電する事により弁を開く電磁弁を取付る。その電磁弁にスイッチを取付通電をさせる事により電磁弁を開き、水道水をノズルよりメッシュフィルターの内側へ噴射させる。
電磁弁への通電はＯＮ・ＯＦＦ手動スイッチと一定時間が経過すると数秒間スイッチが入るタイマースイッチを並列に取付をする。
【手続補正書】
【提出日】平成20年11月18日(2008.11.18)
【手続補正１】
【補正対象書類名】実用新案登録請求の範囲
【補正対象項目名】全文
【補正方法】変更
【補正の内容】
【実用新案登録請求の範囲】
【請求項１】
洗浄便座の臭気吸込口のメッシュフィルターの内側に水を吹き付ける為の水道管と接続したノズルを設置しその間に電磁弁を取付、手動と一定時間が経過すると数秒間ＯＮさせるスイッチを取付通電する事により弁を開き、水道水をノズルよりメッシュフィルターの内側へ噴射させる事によりメッシュフィルターを洗浄する事を特徴とする洗浄便座脱臭メッシュフィルター洗浄装置。
(57)【要約】      （修正有）【課題】超音波振動洗浄器で洗浄水にオゾンガスをバプリングすることで表面洗浄と微細菌の殺菌が同時にでき、しかも殺菌による残留物を出さない大変清潔で地球環境にやさしい入歯洗浄器を提供する。【解決手段】洗浄水及び被洗浄物を入れる容器と、超音波発振機と、を具備する入歯の洗浄器であって、オゾンガス発生装置から発生したオゾンガスをオゾンガス移送用チューブを介して前記容器内に導入し、超音波が加えられた前記洗浄水にオゾンガスをバプリングしたことを特徴とする入歯洗浄器である。【選択図】図１
0003148605.tif 000002
【実用新案登録請求の範囲】
【請求項１】
入歯の洗浄器であって、外した入歯を当該容器に入れ洗浄するものである。洗浄方法は当該容器に適量の洗浄水を入れ超音波の振動による洗浄と同時に入歯に付着した細菌に殺菌効果のあるオゾンガスを洗浄水にバプリング併用して洗浄できる入歯洗浄器。
【考案の詳細な説明】
【技術分野】
【０００１】
本考案は、薬品を用いず入歯を表面の洗浄と殺菌を同時に出来る入歯洗浄器に関するものである。
【背景技術】
【０００２】
現存の入歯洗浄器はモーターを駆動源としてブラシで擦る、超音波発振機を組み込んだ容器に水と入歯を入れ超音波の振動で入れ歯を洗浄すると言う商品が販売されておる。
【０００３】
しかし、これらの方法では入歯の表面のみの洗浄のため洗浄後口に戻す時、微細菌は無くなったのかといささか不安を持ってしまうのが現実である。
【０００４】
この懸念を払拭するため入歯を洗浄後、水を入た容器に殺菌効果のある薬品を落し薬効により殺菌する方法があるが残留性のある薬品を使用することに再度不安が残るのも考慮する必要がある。
【０００５】
この改善策としては、洗浄しながら殺菌する。その殺菌は処理後薬品の様な残留物を出さず殺菌することである。
【特許文献１】特開２００２−０４５３７７号公報                     特開２０００−１２６２０９号公報
【非特許文献１】不明
【考案の開示】
【考案が解決しようとする課題】
【０００６】
解決しようとする問題点は、表面の洗浄と同時に薬品を使用しないで完璧に殺菌することにある。
【課題を解決するための手段】
【０００７】
本考案は、表面洗浄は超音波の振動により洗浄し、オゾンガスを併用使用することで同時に殺菌が出来るのを最も主要な特徴とする。
【考案の効果】
【０００８】
本考案の入歯洗浄器は従来の超音波の洗浄器にオゾンガスを導入しバプリング殺菌するので全く薬品を使用しないため残留物質が残らず完璧に一回の操作で洗浄殺菌ができると言う利点がある。
【考案を実施するための最良の形態】
【０００９】
超音波発振機を備えた容器にオゾンガス発生装置から発生したオゾンガスを導き、洗浄に使用する水にバプリングすることで実現できる。
【実施例１】
【００１０】
図１は、本考案機器の実施例系統図であって、超音波発振機１とその電源２、オゾンガス発生体３とその発生用電源４及びオゾンガス搬送用ポンプ５とオゾンガス移送用チューブ６、洗浄水及び被洗浄物を入れる容器７、機器の全部を収納するケース(図面上省略)から成り立つ。
【００１１】
これらの機材は全て機器の全部を収納できるケースの内部に収納することで単一性を持たせることができる。
【００１２】
また、超音波発振洗浄器にオゾンを導入する機能(オゾンガス発生装置からチューブによって搬送されるオゾンガス取入れ口及び洗浄水内でのオゾンガスバブリング用具)を有しオゾンガス発生装置は別置きとし、オゾンガス搬送チューブでオゾンガスを超音波発振洗浄機に導入することもできる。
【産業上の利用可能性】
【００１３】
表面洗浄と同時に殺菌ができること、殺菌には薬品の代わりにオゾンガスを使用することで処理後の残留物質を出さず地球環境を守りながら自らも完璧な入歯殺菌洗浄により洗浄後直ぐに口にもどすことができ安心した健康生活をおくる助けに成ることが出来る。
【図面の簡単な説明】
【００１４】
【図１】本考案の実施例系統図（実施例１）
【符号の説明】
【００１５】
１    超音波発振機
２    超音波発振機用電源
３    オゾンガス発生体
４    オゾンガス発生用電源
５    オゾンガス搬送用ポンプ
６    オゾンガス搬送用チューブ
７    洗浄水及び被洗浄物を入れる容器
【図１】
0003148605.tif 000003
【手続補正書】
【提出日】平成20年10月15日(2008.10.15)
【手続補正１】
【補正対象書類名】実用新案登録請求の範囲
【補正対象項目名】全文
【補正方法】変更
【補正の内容】
【実用新案登録請求の範囲】
【請求項１】
入歯の洗浄器であって、当該容器に適量の洗浄水を入れオゾンガスを洗浄水にバプリングして洗浄する入歯の洗浄器。
【請求項２】
超音波発振機を備えたことを特徴とする請求項１記載の入歯の洗浄器。
【手続補正書】
【提出日】平成20年12月8日(2008.12.8)
【手続補正１】
【補正対象書類名】実用新案登録請求の範囲
【補正対象項目名】全文
【補正方法】変更
【補正の内容】
【実用新案登録請求の範囲】
【請求項１】
洗浄水及び被洗浄物を入れる容器と、超音波発振機と、を具備する入歯の洗浄器であって、オゾンガス発生装置から発生したオゾンガスをオゾンガス移送用チューブを介して前記容器内に導入し、超音波が加えられた前期洗浄水にオゾンガスをバプリングしたことを特徴とする入歯洗浄器。
【請求項２】
超音波発生器用の高周波電源とオゾンガス発生用の高圧電源をそれぞれ備えたことを特徴とする請求項１記載の入歯洗浄器。